(57)【要約】【課題】接触子の過剰な押し込みを防止してスイッチの固着を防止できるスイッチ装置及びガス燃焼器を提供する。【解決手段】スイッチ装置２０は、レバー部材３０と、接触子７２の押し込み操作によってオンオフするスイッチとを備えている。フィルタ部材の裏側に設けられた突起部材が、スイッチ装置２０のレバー部材３０を押圧することによって、レバー部材３０が揺動する。そして、レバー部材３０に設けられた押し込み部材４０が、スイッチの接触子７２を押し込むことによって、スイッチがオンする。押し込み部材４０は円弧状に湾曲しているので、押し込み部材４０と、接触子７２とを最小面積で接触させることができる。よって、押し込み部材４０と接触子７２とが油等の粘着物質で固着するのを防止できる。【選択図】図２
2011220542.tif 000002
【特許請求の範囲】
【請求項１】
接触子を有するスイッチと、
前記接触子を押し込み、前記スイッチのオン／オフ状態を切り替える押し込み部材と、
当該押し込み部材を前記接触子に対して接離可能に支持する接離部材と
を備えたスイッチ装置であって、
前記押し込み部材は、前記接触子側に円弧状に湾曲する板材であって、前記接触子側に向けられた外側面で前記接触子を押し込むことを特徴とするスイッチ装置。
【請求項２】
前記押し込み部材の長手方向一端部は、前記接離部材の前記接触子側に向けられた外側面に固定され、
当該一端部とは反対の他端部は、前記接離部材に設けられた貫通孔に対して、前記接触子側から遊挿されていることを特徴とする請求項１に記載のスイッチ装置。
【請求項３】
前記押し込み部材の前記他端部には、前記接離部材の前記外側面とは反対側の内側面に係止する係止部が設けられたことを特徴とする請求項２に記載のスイッチ装置。
【請求項４】
前記接触子が前記押し込み部材によって押し込み制限位置まで押し込まれたときに、前記押し込み部材に当接することによって、前記押し込み部材の押し込み動作を制限する制限部材を備えたことを特徴とする請求項１から３の何れかに記載のスイッチ装置。
【請求項５】
前記接離部材は、側面視Ｌ字状に形成され、自身の長手方向の一端と他端との間に設けられた折り曲げ部の近傍に軸部を備え、前記一端に設けられた操作部を押下することで前記軸部を中心に前記他端が揺動するレバー部材であって、
当該レバー部材の前記他端に前記押し込み部材が設けられ、
前記他端が前記接触子側に揺動することによって、前記押し込み部材が前記接触子に接触して押し込むことを特徴とする請求項１から４の何れかに記載のスイッチ装置。
【請求項６】
前記押し込み部材が前記接触子を前記押し込み制限位置まで押し込んだ状態において、
前記接触子は、前記押し込み部材の前記外側面において、前記押し込み部材の前記レバー部材の前記外側面から最も離間する頂点よりも、前記押し込み部材の前記他端部側に位置していることを特徴とする請求項５に記載のスイッチ装置。
【請求項７】
器具に外部空気を導入するための吸気孔を備えると共に、当該吸気孔に異物を取り除くためのフィルタ部材が着脱可能に取り付けられるガス燃焼器であって、
請求項１から６の何れかに記載のスイッチ装置と、
前記接離部材を揺動可能に支持する支持部材と、
前記スイッチのオン／オフ状態の切り替わりに基づき、前記ガス燃焼器の動作を禁止する動作禁止手段と
を備え、
前記フィルタ部材が前記吸気孔に取り付けられると、前記フィルタ部材の一部が前記接離部材に当接して前記接離部材が揺動し、前記押し込み部材が前記接触子に接触して押し込むことによって、前記スイッチのオン／オフ状態が切り替わることを特徴とするガス燃焼器。
【発明の詳細な説明】
【技術分野】
【０００１】
本発明は、スイッチ装置及びガス燃焼器に関する。
【背景技術】
【０００２】
従来、器具の側壁に外部空気を導入するための吸気孔を設け、該吸気孔にごみ等を取り除く吸気フィルターを着脱可能に取り付けた給湯器が知られている。吸気フィルターを取り付けるのを忘れたまま燃焼運転すると、吸い込まれた空気に混在するごみ等が燃焼室の内壁に付着し、燃焼不良等を生じる可能性があった。そこで、器具への取り付け時の吸気フィルターに係脱するスイッチを器具ケース内に設け、スイッチが吸気フィルターに係合せずにオフとなる場合は燃焼運転を停止させる燃焼装置が知られている（例えば、特許文献１参照）。スイッチには短冊状の板バネが組み込まれ、その板バネが吸気フィルターに設けられた押込み部材によって押し込まれ、スイッチの接触子がその板バネに押し込まれることによってオンとなる。吸気フィルターを取り外すと、板バネの作用でストローク部が元の位置に戻りオフとなる。
【先行技術文献】
【特許文献】
【０００３】
【特許文献１】特許第３６５５７２４号公報
【発明の概要】
【発明が解決しようとする課題】
【０００４】
しかしながら、上記したスイッチの構造では、スイッチの接触子が押し込み部材によって強く押し込まれると、板バネとスイッチ、若しくは板バネと押込み部材とが異物や油等によって固着する可能性があった。これらが固着すると、板バネが元の位置に戻りきらず、オン故障の原因となってしまうという問題点があった。
【０００５】
本発明は、上記課題を解決するためになされたものであり、接触子の過剰な押し込みを防止してスイッチの固着を防止できるスイッチ装置及びガス燃焼器を提供することを目的とする。
【課題を解決するための手段】
【０００６】
本発明の請求項１に係るスイッチ装置は、接触子を有するスイッチと、前記接触子を押し込み、前記スイッチのオン／オフ状態を切り替える押し込み部材と、当該押し込み部材を前記接触子に対して接離可能に支持する接離部材とを備えたスイッチ装置であって、前記押し込み部材は、前記接触子側に円弧状に湾曲する板材であって、前記接触子側に向けられた外側面で前記接触子を押し込むことを特徴とする。
【０００７】
また、請求項２に係る発明のスイッチ装置は、請求項１に記載の発明の構成に加え、前記押し込み部材の長手方向一端部は、前記接離部材の前記接触子側に向けられた外側面に固定され、当該一端部とは反対の他端部は、前記接離部材に設けられた貫通孔に対して、前記接触子側から遊挿されている。
【０００８】
また、請求項３に係る発明のスイッチ装置は、請求項２に記載の発明の構成に加え、前記押し込み部材の前記他端部には、前記接離部材の前記外側面とは反対側の内側面に係止する係止部が設けられている。
【０００９】
また、請求項４に係る発明のスイッチ装置は、請求項１から３の何れかに記載の発明の構成に加え、前記接触子が前記押し込み部材によって押し込み制限位置まで押し込まれたときに、前記押し込み部材に当接することによって、前記押し込み部材の押し込み動作を制限する制限部材を備えている。
【００１０】
また、請求項５に係る発明のスイッチ装置は、請求項１から４の何れかに記載の発明の構成に加え、前記接離部材は、側面視Ｌ字状に形成され、自身の長手方向の一端と他端との間に設けられた折り曲げ部の近傍に軸部を備え、前記一端に設けられた操作部を押下することで前記軸部を中心に前記他端が揺動するレバー部材であって、当該レバー部材の前記他端に前記押し込み部材が設けられ、前記他端が前記接触子側に揺動することによって、前記押し込み部材が前記接触子に接触して押し込むことを特徴とする。
【００１１】
また、請求項６に係る発明のスイッチ装置は、請求項５に記載の発明の構成に加え、前記押し込み部材が前記接触子を前記押し込み制限位置まで押し込んだ状態において、前記接触子は、前記押し込み部材の前記外側面において、前記押し込み部材の前記レバー部材の前記外側面から最も離間する頂点よりも、前記押し込み部材の前記他端部側に位置していることを特徴とする。
【００１２】
また、請求項７に係る発明のガス燃焼器は、器具に外部空気を導入するための吸気孔を備えると共に、当該吸気孔に異物を取り除くためのフィルタ部材が着脱可能に取り付けられるガス燃焼器であって、請求項１から６の何れかに記載のスイッチ装置と、前記接離部材を揺動可能に支持する支持部材と、前記スイッチのオン／オフ状態の切り替わりに基づき、前記ガス燃焼器の動作を禁止する動作禁止手段とを備え、前記フィルタ部材が前記吸気孔に取り付けられると、前記フィルタ部材の一部が前記接離部材に当接して前記接離部材が揺動し、前記押し込み部材が前記接触子に接触して押し込むことによって、前記スイッチのオン／オフ状態が切り替わることを特徴とする。
【発明の効果】
【００１３】
請求項１に係る発明のスイッチ装置では、接離部材が押し込み部材をスイッチの接触子に対して接離可能に支持する。押し込み部材は、接触子を押し込むことによって、スイッチのオン／オフ状態を切り替える。押し込み部材は、接触子側に円弧状に湾曲する板材であって、その外側面が接触子に接触する。それ故、押し込み部材と接触子との接触面積を小さくできるので、押し込み部材と接触子との固着を防止できる。押し込み部材は円弧状に湾曲する板材であるので、接触子に接触して接触子側に押し込まれる際に適宜撓むことができる。それ故、接触子に対して無理な負荷がかからないので、接触子が無理に押し込まれて戻らなくなるのを防止できる。
【００１４】
また、請求項２に係る発明のスイッチ装置では、請求項１に記載の発明の効果に加え、押し込み部材の他端部は、接離部材に設けられた貫通孔に対して、接触子側から遊挿されている。接触子が押し込み部材によって押し込まれるにつれ、接触子が押し込み部材に対して押し返す力が徐々に強くなる。押し返す力が押し込み部材の弾性力に勝ると、その力を逃がすようにして、押し込み部材の他端側が貫通孔を挿通して接触子側とは反対側に押し込まれる。押し込み部材にかかる力を無理なく逃がすことができるので、接触子に対して押し込み部材の過剰な押し込みを防止できる。
【００１５】
また、請求項３に係る発明のスイッチ装置では、請求項２に記載の発明の効果に加え、押し込み部材の他端部には、接離部材の外側面とは反対側の内側面に係止する係止部が設けられているので、押し込み部材の他端側が貫通孔から外側面側に抜けるのを防止できる。
【００１６】
また、請求項４に係る発明のスイッチ装置では、請求項１から３の何れかに記載の発明の効果に加え、接触子が押し込み部材によって押し込み制限位置まで押し込まれたときに、押し込み部材に対して制限部材が当接する。これにより、接触子がそれ以上押し込まれないので、押し込み部材による接触子の過剰な押し込みを防止できる。
【００１７】
また、請求項５に係る発明のスイッチ装置では、請求項１から４の何れかに記載の発明の効果に加え、L字状のレバー部材は折り曲げ部の近傍の軸部を中心に揺動する。レバー部材の一端に設けた操作部を押し下げると他端が揺動し、他端に設けた押し込み部材が接触子に接触して押し込む。よって、レバー部材の一端を押し下げることで、スイッチのオン／オフ状態を簡単に切り替えることができる。
【００１８】
また、請求項６に係る発明のスイッチ装置では、請求項５に記載の発明の効果に加え、レバー部材の他端が軸部を中心に揺動し、接触子が押し込み部材に押し込まれると、接触子は、押し込み部材の外側面に接触しつつ押し込み部材の他端部側に向けて摺動する。接触子と押し込み部材との接触点は、押し込み部材の頂点よりも他端部側に徐々にずれる。そして、押し込み部材が接触子を押し込み制限位置まで押し込んだ状態では、接触子は、押し込み部材の外側面において、押し込み部材の頂点よりも、押し込み部材の他端部側に位置している。つまり、接触子は押し込み部材に押し込まれるにつれて、押し込み部材の他端部側にずれるので、押し込み部材が接触子を押し込む力を徐々に逃がすことができる。よって、接触子に過剰な負荷がかからないので、レバー部材の操作部が無理に押されたことによる接触子の過剰な押し込みを防止できる。
【００１９】
また、請求項７に係る発明のガス燃焼器は、器具に外部空気を導入するための吸気孔を備えると共に、当該吸気孔に異物を取り除くためのフィルタ部材が着脱可能に取り付けられるものである。請求項１から６の何れかに記載のスイッチ装置を備え、接離部材は支持部材によって揺動可能に支持されている。フィルタ部材が吸気孔に取り付られると、フィルタ部材の一部が接離部材に当接して接離部材が揺動する。接離部材の揺動によって、押し込み部材が接触子に接触して押し込むので、スイッチのオン／オフ状態が切り替わる。動作禁止手段は、スイッチのオン／オフ状態の切り替わりに基づき、ガス燃焼器の動作を禁止する。つまり、フィルタ部材の着脱を検出できるので、フィルタ部材を取り付けるのを忘れた状態でガス燃焼器が動作するのを防止できる。そして、請求項１から６の何れかに記載のスイッチ装置を備えているので、請求項１から６に記載の効果を得ることができる。つまり、接触子の過剰な押し込みを防止できると共に、異物及び油等によるスイッチの固着を防止できる。それ故、安全性の高いガス燃焼器を提供できる。
【図面の簡単な説明】
【００２０】
【図１】フロントカバー５の吸気孔５Ｂに取り付けられるフィルタ部材１２がスイッチ装置２０のレバー部材３０に接触する位置関係を示す図である。
【図２】スイッチ装置２０の斜視図である。
【図３】スイッチ装置２０の分解斜視図である。
【図４】レバー部材３０の通常時の姿勢を示す図である。
【図５】レバー部材３０が揺動した状態を示す図（押し込み部材４０が接触子７２に接触した状態）である。
【図６】レバー部材３０が揺動した状態を示す図（押し込み部材４０が接触子７２を押し込んだ状態）である。
【図７】レバー部材３０が揺動した状態を示す図（突起部材１８によってレバー部材３０がさらに押し込まれ、押し込み部材４０が接触子７２をさらに押し込んだ状態）である。
【図８】図６に示す二点鎖線Ｗで囲まれた部分の拡大図である。
【発明を実施するための形態】
【００２１】
以下、本発明の一実施形態であるスイッチ装置２０と、そのスイッチ装置２０を備えるガス燃焼器としての給湯器１について、図面を参照して説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。以下説明において、図２の左斜め下側、右斜め上側、右斜め下側、左斜め上側を、スイッチ装置２０の前側、後ろ側、右側、左側とする。
【００２２】
まず、給湯器１の構造について説明する。図１に示すように、給湯器１は、屋内設置タイプのものである。給湯器１の器具２内には、バーナ（図示外）と、該バーナの給排気用の燃焼ファン（図示外）と、バーナの上方側に配置される熱交換器（図示外）等が収容されている。給水管（図示外）を通して熱交換器に入り込む水を、バーナの火力で加熱して湯に変換し、給湯管（図示外）の出口から出湯させる。この給湯器１では、制御装置（図示外）により、給湯負荷に応じて燃焼量と、この燃焼量に対応する燃焼ファンの回転数とが制御され、出湯温度が設定温度に近づく方向に給湯動作が制御される。
【００２３】
器具２の開口する前面には、正面視略長方形状のフロントカバー５が取り付けられている。フロントカバー５の下部左側には、操作パネル（図示外）を取り付けるための長方形状のパネル用孔５Ａが設けられ、下部右側には、外気を導入するための吸気孔５Ｂが設けられている。吸気孔５Ｂには、枠状のフィルタ部材１２が着脱可能に取り付けられる。吸気孔５Ｂの周囲には、フロントカバー５の表面より一段低くなった矩形状の枠部６が設けられている。枠部６の左側部近傍の上下には、フィルタ部材１２の左端部の裏面側の上下に設けられた一対の係止爪（図示外）が係止するための矩形状の係止孔７，７が各々設けられている。枠部６の右側部近傍の上下には、円形状のネジ孔８，８が各々設けられている。上側のネジ孔８の直下には、後述するフィルタ部材１２の右端部の裏面に設けられた突起部材１８をフロントカバー５の裏側に貫通させるための矩形状の貫通孔１０が設けられている。
【００２４】
フィルタ部材１２は、中央に開口１３を有する枠状に形成されている。開口１３には、ゴミ等を取り除くための網目状のフィルタ１４が設けられると共に、横方向に延びる５本の仕切部１５が上下方向に所定間隔を空けて設けられている。フィルタ部材１２の左端部の裏面側の上下には、フロントカバー５の係止孔７，７に係止するための一対の係止爪（図示外）が各々設けられている。フィルタ部材１２の右端部の上下には、ネジ孔１７（図４参照）が各々設けられている。これらネジ孔１７には取付ネジ１６，１６が表側からねじ込まれ、各先端部はフィルタ部材１２の裏側から突き出ている。フィルタ部材１２の右端部の裏面側であって、取付ネジ１６がねじ込まれる上側のネジ孔１７の直下には、フィルタ部材１２の後方に向かって突出する略直方体の突起部材１８が設けられている。
【００２５】
器具２内には、フィルタ部材１２の器具２に対する着脱を検知するためのスイッチ装置２０が設けられている。スイッチ装置２０は、後述するスイッチ７０（図３参照）に設けられた接触子７２を押し込んでオンするための側面視略Ｌ字状のレバー部材３０を備えている。レバー部材３０の外方に延びる一端側に形成された操作部３２は、フロントカバー５の貫通孔１０に対向している。
【００２６】
ここで、フィルタ部材１２が吸気孔５Ｂに取り付けられると、フィルタ部材１２の突起部材１８が貫通孔１０を挿通して、スイッチ装置２０のレバー部材３０の操作部３２を後方に押圧する。すると、レバー部材３０が後方に揺動し、スイッチ７０に設けられた接触子７２（図２参照）を所定位置まで押し込んでオンする。これにより、給湯器１の制御装置は、フィルタ部材１２が器具２に取り付けられていることを認識し、給湯器１の燃焼動作を許可する。一方、フィルタ部材１２が取り外されると、レバー部材３０は後述する付勢バネ２７（図２参照）による付勢によって前方に押し出され、接触子７２は元の位置に戻るのでスイッチ７０はオフする。この場合、制御装置は、フィルタ部材１２が吸気孔５Ｂに取り付けられていないので、給湯器１の燃焼動作を禁止する。これにより、フィルタ部材１２を取り付けるのを忘れた状態で給湯器１が動作するのを確実に防止できる。
【００２７】
次に、スイッチ装置２０の構造について、図２，図３を参照して詳細に説明する。スイッチ装置２０は、横断面逆Ｕ字形状の本体板５０と、該本体板５０の前側に揺動可能に軸支される側面視Ｌ字形状のレバー部材３０と、接触子７２の押し込み操作によってオンオフが切り替わるスイッチ７０と、該スイッチ７０を本体板５０に固定するための側面視略Ｕ字形状のスイッチカバー８０とを備えている。以下、各部品毎に形状を詳細に説明する。
【００２８】
まず、本体板５０の形状について説明する。図２，図３に示すように、本体板５０は、断面略逆Ｕ字形状の前方部５１と、断面略逆Ｌ字形状の後方部５２とを備えている。図３に示すように、前方部５１は、右側壁５３と、左側壁５４と、上壁５５とを備えている。後方部５２は、右側壁５７と、左側壁５８と、上壁５９とを備えている。前方部５１の右側壁５３と左側壁５４とには、レバー部材３０を揺動可能に軸支する円筒状の支軸ピン２５を挿入固定するための円形状のピン固定孔６１，６２が各々設けられている。
【００２９】
前方部５１の左側壁５４の後方側の下端部には、上方に向かって略長方形状に凹んだ凹部５４Ａが設けられている。凹部５４Ａの略水平に延びる上端部には、左側方に延びる固定板５６が設けられている。固定板５６には、スイッチ装置２０を器具２内に固定するための円形状の固定孔６４が設けられている。
【００３０】
後方部５２の右側壁５７は、前方部５１の右側壁５３よりも下方に長く延設されている（図２参照）。右側壁５７の上下には、スイッチカバー８０の後述する脚部８２，８３に各々設けられた嵌合突起８５，８６を嵌合させるための長方形状の嵌合孔６５Ａ，６５Ｂが各々設けられている。嵌合孔６５Ａの直下には、固定ネジ９０が締結される円形状のネジ孔６６が設けられている。ネジ孔６６の直下であって、嵌合孔６５Ｂの上方には、スイッチ７０の後述する本体７１の右側面（図示外）から突出する円柱状の挿入突起７６（図２参照）を挿入させるための円形状の挿入孔６７が設けられている。後方部５２の左側壁５８の下端部には左側方に延びる固定板６０が設けられている。固定板６０には、スイッチ装置２０を器具２内に固定するための円形状の固定孔６９が設けられている。なお、図２に示す本体板５０が本発明の「支持部材」に相当する。
【００３１】
次に、スイッチ７０の構造について説明する。図３に示すように、スイッチ７０は略直方体状の本体７１を備えている。本体７１の前面下部には、棒状の接触子７２が所定のストローク幅において押し込み可能に設けられている。接触子７２が外部から押し込まれることによってスイッチ７０がオンする。スイッチ７０がオンすると、スイッチ７０に接続された外部の電気回路（図示外）に電流が流れる。器具２内の制御装置は、電気回路に流れる電流に基づき、給湯器１の燃焼動作を許可又は禁止する。本体７１には、左右の両側面の各上部を貫通し、固定ネジ９０を締結するためのネジ孔７４が設けられている。本体７１の右側面及び左側面の下側には、外方に向けて略水平に突出する略円柱状の挿入突起７６（図２，図３参照）が各々設けられている。
【００３２】
次に、スイッチカバー８０の形状について説明する。図３に示すように、スイッチカバー８０は、略長方形状の板の長手方向両端側を同方向にそれぞれ折り曲げた形状を有する。スイッチカバー８０の中央にある基部８１の長手方向両端部から略直角に脚部８２，８３が各々延設されている。脚部８２，８３の各先端部の幅方向中央には、略直方体状の嵌合突起８５，８６が各々設けられている。基部８１には、固定ネジ９０を締結するためのネジ孔８８と、スイッチ７０の本体７１の左側面に設けられた挿入突起７６を挿入するための挿入孔８９とが各々設けられている。スイッチカバー８０は、スイッチ７０を本体板５０の右側壁５７の内面に固定するものである。
【００３３】
次に、レバー部材３０に形状について説明する。図３に示すように、レバー部材３０は、略長方形状の板の長手方向中央を略Ｌ字状に折り曲げた形状を有する。レバー部材３０の折り曲げ部３１の近傍には、レバー部材３０の幅方向両端部からＬ字形状の内側に向かって突出する略半円形状の一対の軸支片３３，３３が設けられている。各軸支片３３の略中央には、支軸ピン２５が挿入される円形状の軸支孔３３Ａが設けられている。レバー部材３０の長手方向一端側には、略Ｌ字形状の内側にやや折り曲げられ、フィルタ部材１２の裏側から突出する突起部材１８（図１参照）の先端部に接触させて押圧させるための操作部３２が設けられている。
【００３４】
また、折り曲げ部３１の近傍であって、操作部３２側とは反対側の部位には、後述する押し込み部材４０の一端を固定するための円形状の固定孔３４が設けられている。操作部３２とは反対側の他端部近傍には、後述する押し込み部材４０の他端側を挿入して逃がすための略長方形状の逃がし孔３５（本発明の「貫通孔」に相当する。）が貫通して設けられている。レバー部材３０の他端側であって、スイッチ７０の接触子７２に向けられる外側面には、外方に向かって円弧状に湾曲する板状の押し込み部材４０が固定されている。
【００３５】
押し込み部材４０は、円弧状に湾曲する金属製の板材である。図３に示すように、押し込み部材４０の長手方向一端部には固定端４１が設けられている。固定端４１には円形状の固定孔（図示外）が設けられている。そして、固定端４１の固定孔を、レバー部材３０の固定孔３４に合わせた状態で、固定孔３４の内縁部が押し込み部材４０の固定孔の内側を介して外方に裏返した状態で押し潰されている。これにより、押し込み部材４０の固定端４１がレバー部材３０の他端側の外側面に固定されている。固定端４１の幅方向両端部には、固定端４１の面に対して略直角に折り曲げられたガタつき防止片４２，４２が設けられている。ガタつき防止片４２，４２の各外面を、右側壁５３及び左側壁５４の各内面に当接させることで、レバー部材３０の揺動の際のガタつきを防止している。
【００３６】
押し込み部材４０の固定端４１とは反対側の他端部は、レバー部材３０の他端側に設けられた逃がし孔３５に対して、レバー部材３０の外面側から内面側に向けて遊挿されている。これにより、押し込み部材４０が外方から押された場合は、外方からの押圧力の強さに応じて、押し込み部材４０の他端側が逃がし孔３５に押し出される。逃がし孔３５に遊挿された押し込み部材４０の他端部には、固定端４１側とは反対方向に略直角に折り曲げられ、レバー部材３０の内面に係止する係止部４３が設けられている。これにより、押し込み部材４０の他端部が逃がし孔３５から抜けてしまうのを防止できる。
【００３７】
次に、スイッチ装置２０の組立構造について説明する。図３に示すように、まず、本体板５０の前方部５１の内側に、Ｌ字状の内側を前方に向けた状態でレバー部材３０を配置する。支軸ピン２５を、本体板５０のピン固定孔６１，６２、レバー部材３０の軸支片３３，３３の軸支孔３３Ａ，３３Ａに通して固定する。このとき、支軸ピン２５には、レバー部材３０の軸支片３３，３３の内側においてコイル状の付勢バネ２７を外挿する。付勢バネ２７の一端２７Ｂは、本体板５０の前方部５１の右側壁５３の前方下部に設けられた係止溝５３Ａに係止させる。付勢バネ２７の他端２７Ａは、レバー部材３０の操作部３２側の内面に当接させる。これにより、レバー部材３０は支軸ピン２５を中心に揺動すると共に、付勢バネ２７の付勢によって前方に押し出された状態（図２，図４参照）となる。
【００３８】
続いて、本体板５０の後方部５２の右側壁５７の内面にスイッチ７０の本体７１を固定する。このとき、スイッチ７０の本体７１の右側面に設けられた挿入突起（図３では図示外）を、右側壁５７に設けられた挿入孔６７に挿入して位置決めする。右側壁５７の内面に位置決めされた本体７１を覆うようにして、スイッチカバー８０を右側壁５７の内面に固定する。このとき、本体７１の左側面に設けられた挿入突起７６に対して、スイッチカバー８０に設けられた挿入孔８９を挿入する。さらに、スイッチカバー８０の脚部８２，８３に各々設けられた嵌合突起８５，８６を、右側壁５７に設けられた一対の嵌合孔６５Ａ，６５Ｂに対して嵌合する。この状態で、スイッチ７０及びスイッチカバー８０は右側壁５７の内面に仮固定される。そして、固定ネジ９０を、スイッチカバー８０のネジ孔８８、スイッチ７０の本体７１のネジ孔７４、右側壁５７のネジ孔６６の順に締結する。こうして、スイッチ７０及びスイッチカバー８０は右側壁５７の内面に固定され、図２に示すスイッチ装置２０の組み立てが完了する。
【００３９】
ここで、図２に示すように、スイッチ装置２０において、接触子７２の右側には、本体板５０の後方部５２の右側壁５７の前端部が位置し、接触子７２の左側には、スイッチカバー８０の前端部が位置している。右側壁５７の前端部と、スイッチカバー８０の前端部とは、スイッチ装置２０の前後方向において同位置であり、かつ接触子７２を押し込むことができる許容範囲内で設定される「押し込み制限位置」に調整されている。なお、押し込み制限位置は、接触子７２の過剰な押し込みによるオン故障を防止するために設定されるものである。押し込み制限位置は、例えば、押し込みの許容範囲の限界位置に設定されるが、押し込みの許容範囲内で設定してもよい。
【００４０】
さらに、右側壁５７の前端部と、スイッチカバー８０の前端部との離間距離に対して、押し込み部材４０の幅方向の長さが広くなるように調整されている。それ故、接触子７２が押し込み部材４０に押し込み制限位置まで押し込まれた場合に、押し込み部材４０の外側面が、右側壁５７の前端部と、スイッチカバー８０の前端部とに接触する。これにより、押し込み部材４０による接触子７２の過剰な押し込みを防止できるので、オン故障を確実に防止できる。なお、図３に示す本体板５０の後方部５２の右側壁５７と、スイッチカバー８０とが本発明の「制限部材」に相当する。
【００４１】
次に、フィルタ部材１２のフロントカバー５への取り付けによるスイッチ装置２０の動作について、図４から図７を参照して説明する。なお、上記したように、スイッチ装置２０は、図１に示すように、レバー部材３０の操作部３２が、フロントカバー５の貫通孔１０に対向するように取り付けられている。以下説明において、図４から図７の右側、左側、上側、下側を、スイッチ装置２０の前方、後方、上方、下方とする。
【００４２】
まず、フロントカバー５の吸気孔５Ｂからフィルタ部材１２が取り外されている場合、図４に示すように、レバー部材３０は、付勢バネ２７による付勢によって前方に押し出されている。この状態では、押し込み部材４０は、スイッチ７０の接触子７２から離間している。接触子７２は元の位置のままであるので、スイッチ７０はオフされている。この場合、給湯器１の制御装置は、燃焼動作を禁止する制御を行う。
【００４３】
次いで、図１に示すように、作業者がフィルタ部材１２を吸気孔５Ｂに取り付ける。すると、フィルタ部材１２の裏側から後方に突出する突起部材１８が、フロントカバー５の貫通孔１０を挿通して、スイッチ装置２０のレバー部材３０の操作部３２に接触して後方に押圧する。すると、図５に示すように、レバー部材３０は支軸ピン２５を中心に、スイッチ７０側に揺動するので、押し込み部材４０が接触子７２に向かって移動する。
【００４４】
そして、接触子７２の先端部に対して押し込み部材４０の外側面が接触する。このとき、押し込み部材４０は接触子７２側に円弧状に湾曲しているので、接触子７２とは点接触となる。つまり、押し込み部材４０と、接触子７２とを最小面積で接触させることができるので、押し込み部材４０と接触子７２とが油等の粘着物質で固着するのを防止できる。また、押し込み部材４０の他端側は逃し孔３５に遊挿されているので、接触子７２に押し込み部材４０の外側面が勢いよく接触した場合、その衝撃を吸収するようにして、押し込み部材４０の他端側は逃し孔３５を挿通してレバー部材３０の内側に押し出される（図５参照）。つまり、衝撃が強ければ強いほど、逃し孔３５に押し出される押し込み部材４０の他端側の長さは長くなる。これにより、押し込み部材４０の湾曲形状を保持できると共に、接触子７２に対する過剰な負荷を防止できる。
【００４５】
ここで、図５、図６に示すように、接触子７２と押し込み部材４０との相互の位置関係については、レバー部材３０を支軸ピン２５を中心にスイッチ７０側に揺動させた場合に、接触子７２が、押し込み部材４０のうちレバー部材３０の外面から最も離れる位置である頂点Ｐ付近から、支軸ピン２５側から離れる方向（係止部４３側）に向かってその外側面を摺動するように調整されている。このような位置関係によって、接触子７２と押し込み部材４０との接触点は、押し込み部材４０の頂点Ｐ付近から係止部４３側に徐々にずれる。つまり、スイッチ７０側に移動する押し込み部材４０の頂点Ｐの軌道上では、レバー部材３０の揺動によって移動する押し込み部材４０の押し込み力が直接働くが、接触子７２が押し込み部材４０に押し込まれるにつれて、接触子７２は頂点Ｐ付近から徐々に離れる。これにより、押し込み部材４０が接触子７２を押し込む力を徐々に逃がすことができる。
【００４６】
そして、押し込み部材４０によって接触子７２が所定位置まで押し込められた場合にスイッチ７０がオンとなる。スイッチ７０がオンとなることで、外部の電気回路に電流が流れ、給湯器１の制御装置は燃焼動作を許可する。そして、図６に示すように、吸気孔５Ｂには、フィルタ部材１２が正常に取り付けられているので、器具２内にごみ等が侵入するのを防止できる。
【００４７】
ここで、例えば、突起部材１８の寸法公差や、フロントカバー５に対するフィルタ部材１２の取付位置のずれ、スイッチ装置２０の取付位置のずれ、取付ネジ１６の締結強度の違い、吸気孔５Ｂの位置のずれ等によって、スイッチ装置２０とフィルタ部材１２との相対距離が変わることがある。つまり、図７に示すように、突起部材１８が、図６に示す状態よりもレバー部材３０の操作部３２を押し込むことがある。この場合、押し込み部材４０は図６の位置よりもスイッチ７０側にさらに押し込まれる。そして、接触子７２が押し込み部材４０によって押し込み制限位置まで押し込まれた場合、押し込み部材４０の外側面が、右側壁５７の前端部と、スイッチカバー８０の前端部とに接触するので、押し込み部材４０の移動を制限できる。このとき、押し込み部材４０は少々撓むが、他端側が逃がし孔３５を通じてレバー部材３０の内側に押し出される。これにより、押し込み部材４０による接触子７２の過剰な押し込みを防止できるので、オン故障を確実に防止できる。
【００４８】
なお、レバー部材３０の操作部３２からフィルタ部材１２の突起部材１８が離れても、押し込み部材４０と接触子７２、若しくは押し込み部材４０と、右側壁５７の前端部及びスイッチカバー８０の前端部とが固着してしまった場合、付勢バネ２７による回転トルクによって、レバー部材３０は前方に押し出される。レバー部材３０が前方に押し出されると、押し込み部材４０と接触子７２との接触点Ａ（図８参照）が、押し込み部材４０の頂点Ｐに向かってずれる。つまり、固着部分を互いに逆方向に引き離すのではなく、押し込み部材４０と接触子７２との互いの位置をずらすようにして固着部分を引き離す。よって、押し込み部材４０と接触子７２との固着部分、若しくは押し込み部材４０と、右側壁５７の前端部及びスイッチカバー８０の前端部との固着部分を容易に引き剥がすことができる。
【００４９】
以上説明したように、本実施形態の給湯器１は、フロントカバー５の吸気孔５Ｂに対してフィルタ部材１２の着脱を検知するスイッチ装置２０を備えている。スイッチ装置２０は、レバー部材３０と、接触子７２の押し込み操作によってオンオフするスイッチ７０とを備えている。フィルタ部材１２の裏側に設けられた突起部材１８が、スイッチ装置２０のレバー部材３０を押圧することによって、レバー部材３０が揺動する。そして、レバー部材３０に設けられた押し込み部材４０が、スイッチ７０の接触子７２を所定位置まで押し込むことによって、スイッチ７０がオンする。押し込み部材４０は円弧状に湾曲しているので、押し込み部材４０と、接触子７２とを最小面積で接触させることができる。よって、押し込み部材４０と接触子７２とが油等の粘着物質で固着するのを防止できる。また、押し込み部材４０の他端側は逃し孔３５に遊挿されているので、接触子７２に押し込み部材４０の外側面が勢いよく接触した場合、その衝撃を吸収するようにして、押し込み部材４０の他端側は逃し孔３５を挿通してレバー部材３０の内側に押し出される。これにより、押し込み部材４０の湾曲形状を保持できると共に、接触子７２に対する過剰な負荷を防止できる。
【００５０】
なお、上記したように、押し込み部材４０にも弾性があることから、接触子７２に対する過剰な負荷を防止できるが、逃がし孔３５による衝撃吸収機能によって、押し込み部材４０の過剰な変形を防止できる。つまり、押し込み部材４０が撓んで変形し、接触子７２との接触面積が大きくなるのを防止できる。
【００５１】
なお、本発明は上記実施の形態に限定されるものではなく、種々の変更が可能である。例えば、本発明はガス燃焼器として、給湯器を一例として説明したが、コンロ、フライヤー等のその他のガス燃焼器にも適用可能である。
【００５２】
また、上記実施形態では、スイッチ装置２０のスイッチ７０がオフのときは、制御装置が燃焼動作を禁止する制御を行ったが、例えば、ＬＥＤ等を点灯させたり、警告音を鳴らすことによって、フィルタ部材１２の取り付け忘れを報知するようにしてもよい。
【符号の説明】
【００５３】
１    給湯器
５    フロントカバー
５Ｂ  吸気孔
１２    フィルタ部材
１８    突起部材
２０    スイッチ装置
２５    支軸ピン
３０    レバー部材
３１    折り曲げ部
３２    操作部
３３    軸支片
３３Ａ  軸支孔
３５    逃がし孔
４０    押し込み部材
４３    係止片
５０    本体板
５７    右側壁
７０    スイッチ
７２    接触子
８０    スイッチカバー
【図１】
2011220542.tif 000003
【図２】
2011220542.tif 000004
【図３】
2011220542.tif 000005
【図４】
2011220542.tif 000006
【図５】
2011220542.tif 000007
【図６】
2011220542.tif 000008
【図７】
2011220542.tif 000009
【図８】
2011220542.tif 000010